(57)【要約】【課題】  別系統の信号バス等を用いることなく、オーディオサンプリングデータに加え、エンファシス情報やミュート情報等のオーディオサンプリングデータを制御する信号や曲名を示す信号等の情報データをもオーディオ３線式で送受信することのできるデータ送信装置及びデータ受信装置を提供する。【解決手段】  データ送信装置１００は、オーディオ３線式のオーディオデータに、ビットクロックに同期させた情報データを重畳させて送信する。データ受信装置１１０は、受信したオーディオデータに重畳されている情報データをオーディオサンプリングデータに反映させて出力する。【選択図】  図１ａ
2005150860.tif 000002
【特許請求の範囲】
【請求項１】
オーディオサンプリング周波数を逓倍したビットクロックと、該オーディオサンプリング周波数と同周期であり前記ビットクロックに同期したＬＲクロックと、該ＬＲクロックとの位相関係が所定の規則で配列され前記ビットクロックに同期したデータとを出力するデータ送信装置であって、
前記ビットクロックに同期したデータとして、オーディオサンプリングデータと、該オーディオサンプリングデータとは異なる情報を示す情報データと、を送信する、
ことを特徴とするデータ送信装置。
【請求項２】
請求項１に記載のデータ送信装置において、
前記情報データは、前記ＬＲクロックのエッジから前記ビットクロックで所定数カウントした位置から始まり、所定のクロック分存在する、
ことを特徴とするデータ送信装置。
【請求項３】
請求項１に記載のデータ送信装置において、
前記情報データは、前記ビットクロックにおける１クロック分の情報同期信号を持つ、
ことを特徴とするデータ送信装置。
【請求項４】
請求項３に記載のデータ送信装置において、
前記情報データは、前記情報同期信号の次に、前記情報データの量を示す情報量信号を、前記ビットクロックにおける所定のクロック分有する、
ことを特徴とするデータ送信装置。
【請求項５】
請求項３に記載のデータ送信装置において、
前記情報データは、一定の周期で情報を持ち、前記情報同期信号の次に、前記周期の進み具合を示す周期信号を、前記ビットクロックにおける所定クロック分有する、
ことを特徴とするデータ送信装置。
【請求項６】
請求項１に記載のデータ送信装置において、
前記情報データは、前記オーディオサンプリングデータを制御するミュート情報及び／またはエンファシス情報である、
ことを特徴とするデータ送信装置。
【請求項７】
オーディオサンプリング周波数の逓倍のビットクロックと、該オーディオサンプリング周波数の周期であり前記ビットクロックに同期したＬＲクロックと、該ＬＲクロックとの位相関係が所定の規則で配列され前記ビットクロックに同期したデータとを入力するデータ受信装置であって、
前記データは、オーディオサンプリングデータと、該オーディオサンプリングデータとは異なる情報を示す情報データとを含む、
ことを特徴とするデータ受信装置。
【請求項８】
請求項７に記載のデータ受信装置において、
前記情報データは、前記ＬＲクロックのエッジから前記ビットクロックで所定数カウントした位置から始まり、所定のクロック分存在する、
ことを特徴とするデータ受信装置。
【請求項９】
請求項７に記載のデータ受信装置において、
前記情報データは、前記ビットクロックにおける１クロック分の情報同期信号を持つ、
ことを特徴とするデータ受信装置。
【請求項１０】
請求項７に記載のデータ受信装置において、
前記情報データが、前記オーディオサンプリングデータを制御するミュート情報及び／またはエンファシス情報である場合に、オーディオサンプル単位で前記情報データを反映させた信号を出力する、
ことを特徴とするデータ受信装置。
【発明の詳細な説明】
【技術分野】
【０００１】
本発明は、オーディオＤＡＣ(Digital Analog Converter)等で使用されるオーディオ３線式のデータ送信装置及びデータ受信装置に関するものであり、特に、オーディオサンプル単位で制御する必要がある場合に有効なものに関する。
【背景技術】
【０００２】
従来のオーディオ３線式を用いたデータ送信装置及びデータ受信装置について説明する。
図６は、特許文献１に開示された、従来のデータ送信装置及びデータ受信装置を示すブロック図である。
【０００３】
図に示されるように、従来のデータ送信装置６００は、例えば、圧縮されたオーディオ信号を伸張するオーディオデコーダであり、ＲＦ信号を入力するためのＲＦ入力端子６０１と、マスタクロック（ＭＣＫ）を発振するマスタクロック発振器６０２と、ＲＦ信号及びマスタクロックを入力し、音声信号を左右チャンネルに分離するためのＬＲクロック（ＬＲＣＫ）及びオーディオデータを出力する信号処理回路６０３と、信号処理回路６０３からのＬＲクロックをマスタクロック１クロック分遅延させるＤフリップフロップ６０４と、Ｄフリップフロップ６０４から出力された、遅延されたＬＲクロックの反転信号と信号処理回路６０３からのＬＲクロックとを入力し、クリア信号（ＣＬＲ）を出力するＮＡＮＤ回路６０５と、マスタクロック及びクリア信号を入力し、信号処理回路６０３から出力されるオーディオデータのオーディオサンプリング周波数を逓倍したビットクロック（ＢＣＫ）及びオーディオサンプリング周波数と同周期でありビットクロックに同期したＬＲクロックを生成する分周器６０６と、分周器６０６からのビットクロック及びＬＲクロックと信号処理回路６０３からのデータとを同期させてオーディオ３線式で送信するデジタルフィルタ６０７と、から構成されている。
【０００４】
また、従来のデータ受信装置６１０は、例えば、オーディオデータをアナログ信号に変換するオーディオＤ／Ａ変換装置であり、オーディオ３線式で受信した信号をＤ／Ａ変換してオーディオアナログ信号を出力するＤ／Ａコンバータ６０８と、オーディオアナログ信号を出力するための信号出力端子６０９と、から構成されている。
【０００５】
以下に、従来のデータ送信装置及びデータ受信装置の送受信動作について説明する。
データ送信装置６００の信号処理回路６０３は、ＲＦ入力端子６０１からのＲＦ信号、及びマスタクロック発振器６０２からのマスタクロックを入力し、ＲＦ信号からオーディオデータ（ＤＡＴＡ）とＬＲクロックとを生成する。この生成されたＬＲクロックを、Ｄフリップフロップ６０４がマスタクロック１クロック分遅延させる。この遅延させたＬＲクロックの反転信号とＬＲクロックとのＮＡＮＤをとった信号をクリア信号とし、このクリア信号により分周器６０６をクリアする。分周器６０６は、マスタクロックとクリア信号とを入力し、ビットクロックとＬＲクロックとを生成する。デジタルフィルタ６０７は、分周器６０６からのビットクロック及びＬＲクロックと、信号処理回路６０３からのデータとを同期させてオーディオ３線式でデータ受信装置６１０に送信する。
【０００６】
データ受信装置６１０のＤ／Ａコンバータ６０８は、オーディオ３線式で受信した信号をＤ／Ａ変換してオーディオアナログ信号として信号出力端子６０９に出力する。
【特許文献１】特開平７−１４３１０号公報（第２−３頁  図１）
【発明の開示】
【発明が解決しようとする課題】
【０００７】
従来のデータ送信装置及びデータ受信装置は以上のように構成されており、マスタクロックパルスを分周してビットクロックおよびＬＲ（左右）クロックパルスが生成されるため、生成されたビットクロックパルスおよびＬＲクロックパルスは再生信号成分の影響を受けなくなり、デジタルフィルタおよびＤ／Ａコンバータへのデジタル音声データの取り込みが、生成されたビットクロックパルスにより行われるため、デジタルフィルタによるフィルタリング、Ｄ／Ａコンバータによるアナログ音声信号変換等を正確に行うことができる。
【０００８】
しかしながら、従来のデータ送信装置及びデータ受信装置は、その送，受信するデータがオーディオサンプリングデータのみであり、エンファシス情報やミュート情報等のオーディオサンプリングデータを制御する信号や、曲名を示す信号等の情報データを送，受信するには、別系統の信号バス等が必要になるという問題点があった。
【０００９】
本発明は、上述のような従来の問題点を解決するためになされたものであり、別系統の信号バス等を用いることなく、オーディオサンプリングデータに加え、情報データ等をも送，受信することのできるデータ送信装置及びデータ受信装置を提供することを目的とする。
【課題を解決するための手段】
【００１０】
本発明の請求項１に係るデータ送信装置は、オーディオサンプリング周波数を逓倍したビットクロックと、該オーディオサンプリング周波数と同周期であり前記ビットクロックに同期したＬＲクロックと、該ＬＲクロックとの位相関係が所定の規則で配列され前記ビットクロックに同期したデータとを出力するデータ送信装置であって、前記ビットクロックに同期したデータとして、オーディオサンプリングデータと、該オーディオサンプリングデータとは異なる情報を示す情報データと、を送信するものとしたものである。
【００１１】
本発明の請求項２に係るデータ送信装置は、請求項１に記載のデータ送信装置において、前記情報データが、前記ＬＲクロックのエッジから前記ビットクロックで所定数カウントした位置から始まり、所定のクロック分存在するものとしたものである。
【００１２】
本発明の請求項３に係るデータ送信装置は、請求項１に記載のデータ送信装置において、前記情報データが、前記ビットクロックにおける１クロック分の情報同期信号を持つものとしたものである。
【００１３】
本発明の請求項４に係るデータ送信装置は、請求項３に記載のデータ送信装置において、前記情報データが、前記情報同期信号の次に、前記情報データの量を示す情報量信号を、前記ビットクロックにおける所定のクロック分有するものとしたものである。
【００１４】
本発明の請求項５に係るデータ送信装置は、請求項３に記載のデータ送信装置において、前記情報データが、一定の周期で情報を持ち、前記情報同期信号の次に、前記周期の進み具合を示す周期信号を、前記ビットクロックにおける所定クロック分有するものとしたものである。
【００１５】
本発明の請求項６に係るデータ送信装置は、請求項１に記載のデータ送信装置において、前記情報データが、前記オーディオサンプリングデータを制御するミュート情報及び／またはエンファシス情報であるものとしたものである。
【００１６】
本発明の請求項７に係るデータ受信装置は、オーディオサンプリング周波数の逓倍のビットクロックと、該オーディオサンプリング周波数の周期であり前記ビットクロックに同期したＬＲクロックと、該ＬＲクロックとの位相関係が所定の規則で配列され前記ビットクロックに同期したデータとを入力するデータ受信装置であって、前記データは、オーディオサンプリングデータと、該オーディオサンプリングデータとは異なる情報を示す情報データとを含むものとしたものである。
【００１７】
本発明の請求項８に係るデータ受信装置は、請求項７に記載のデータ受信装置において、前記情報データが、前記ＬＲクロックのエッジから前記ビットクロックで所定数カウントした位置から始まり、所定のクロック分存在するものとしたものである。
【００１８】
本発明の請求項９に係るデータ受信装置は、請求項７に記載のデータ受信装置において、前記情報データが、前記ビットクロックにおける１クロック分の情報同期信号を持つものとしたものである。
【００１９】
本発明の請求項１０に係るデータ受信装置は、請求項７に記載のデータ受信装置において、前記情報データが、前記オーディオサンプリングデータを制御するミュート情報及び／またはエンファシス情報である場合に、オーディオサンプル単位で前記情報データを反映させた信号を出力するものとしたものである。
【発明の効果】
【００２０】
本発明の請求項１に係るデータ送信装置は、オーディオサンプリング周波数を逓倍したビットクロックと、該オーディオサンプリング周波数の周期であり前記ビットクロックと同期したＬＲクロックと、該ＬＲクロックとの位相関係が所定の規則で配列され、前記ビットクロックに同期したデータとを出力するデータ送信装置であって、前記ビットクロックに同期したデータとして、オーディオサンプリングデータと、該オーディオサンプリングデータとは異なる情報を示す情報データと、を送信するものとしたので、別系統の信号バス等を用いることなく、オーディオサンプリングデータとは異なる情報データについても、別系統の信号バス等を設けることなくオーディオ３線式で送信することができるという効果がある。
【００２１】
本発明の請求項２に係るデータ送信装置は、請求項１に記載のデータ送信装置において、前記情報データが、前記ＬＲクロックのエッジから前記ビットクロックで所定数カウントした位置から始まり、所定のクロック分存在するものとしたので、オーディオサンプリングデータとは異なる情報データを受信側で判別するのが容易になるという効果がある。
【００２２】
本発明の請求項３に係るデータ送信装置は、請求項１に記載のデータ送信装置において、前記情報データが、前記ビットクロックにおける１クロック分の情報同期信号を持つものとしたので、オーディオサンプリングデータ以外の情報データを受信側で判別するのが容易になるという効果がある。
【００２３】
本発明の請求項４に係るデータ送信装置は、請求項３に記載のデータ送信装置において、前記情報データが、前記情報同期信号の次に、前記情報データの量を示す情報量信号を、前記ビットクロックにおける所定のクロック分有するものとしたので、受信側でのオーディオサンプリングデータ以外の情報データ量の確認が容易になるという効果がある。
【００２４】
本発明の請求項５に係るデータ送信装置は、請求項３に記載のデータ送信装置において、前記情報データが、一定の周期で情報を持ち、前記情報同期信号の次に、前記周期の進み具合を示す周期信号を、前記ビットクロックにおける所定クロック分有するものとしたので、オーディオサンプリングデータ以外の情報データを受信側で判別するのが容易になるという効果がある。
【００２５】
本発明の請求項６に係るデータ送信装置は、請求項１に記載のデータ送信装置において、前記情報データが、前記オーディオサンプリングデータを制御するミュート情報及び／またはエンファシス情報であるものとしたので、別系統の信号バス等を設けることなく送信したミュート情報及び／またはエンファシス情報により、オーディオサンプル単位でミュート情報及び／またはエンファシス情報を受信側に反映させることができるという効果がある。
【００２６】
本発明の請求項７に係るデータ受信装置は、オーディオサンプリング周波数の逓倍のビットクロックと、該オーディオサンプリング周波数の周期であり前記ビットクロックに同期したＬＲクロックと、該ＬＲクロックとの位相関係が所定の規則で配列され前記ビットクロックに同期したデータとを入力するデータ受信装置であって、前記データは、オーディオサンプリングデータと、該オーディオサンプリングデータとは異なる情報を示す情報データとを含むものとしたので、別系統の信号バス等を用いることなく、オーディオサンプリングデータとは異なる情報データをオーディオ３線式で受信することができるという効果がある。
【００２７】
本発明の請求項８に係るデータ受信装置は、請求項７に記載のデータ受信装置において、前記情報データが、前記ＬＲクロックのエッジから前記ビットクロックで所定数カウントした位置から始まり、所定のクロック分存在するものとしたので、オーディオサンプリングデータと情報データとの判別が容易になるという効果がある。
【００２８】
本発明の請求項９に係るデータ受信装置は、請求項７に記載のデータ受信装置において、前記情報データが、前記ビットクロックにおける１クロック分の情報同期信号を持つものとしたので、オーディオサンプリングデータと情報データとの判別が容易になるという効果がある。
【００２９】
本発明の請求項１０に係るデータ受信装置は、請求項７に記載のデータ受信装置において、前記情報データが、前記オーディオサンプリングデータを制御するミュート情報及び／またはエンファシス情報である場合に、オーディオサンプル単位で前記情報データを反映させた信号を出力するものとしたので、別系統の信号バス等を設けることなく受信したミュート情報及び／またはエンファシス情報に基づき、オーディオサンプル単位でミュート情報及び／またはエンファシス情報を反映させることができるという効果がある。
【発明を実施するための最良の形態】
【００３０】
以下、本発明の実施の形態に係るデータ送信装置及びデータ受信装置について図面を参照しながら説明する。
【００３１】
（実施の形態１）
図１は、本発明の実施の形態１によるデータ送信装置及びデータ受信装置を示すブロック図である。
【００３２】
図１ａはそのブロック構成を示し、図において、１０１はオーディオの圧縮されたストリーム信号であるオーディオ信号を入力するための信号入力端子であり、１００は符号化されたオーディオ信号を復号し、オーディオ３線式で送信するデータ送信装置であり、１１０はオーディオ３線式で受信したオーディオデータをＤ／Ａ変換するデータ受信装置であり、１０９はオーディオアナログ信号を出力するための信号出力端子である。
【００３３】
図１ｂは図１ａのデータ送信装置及びデータ受信装置のブロックの内部構成を示し、図において、１１１はデータ送信装置１００のデジタルフィルタ１０７から出力されたオーディオデータの中からミュート情報やエンファシス情報を分離するデータ分離回路、１１２はデータ分離回路１１１により分離されたミュート情報に基づきオーディオデータにミュートをかけるミュート回路、１１３はデータ分離回路１１１により分離されたエンファシス情報に基づきオーディオデータにエンファシスをかけるエンファシス回路である。
【００３４】
なお、これら以外の構成要素は、符号が１００番台となっているが、図７の従来例において７００番台の符号を付したものと同様のものである。
【００３５】
図２は、本発明の実施の形態１に係るデータ送信装置及びデータ受信装置の送受信データの構造を示す説明図である。
以下、本実施の形態１に係るデータ送信装置及びデータ受信装置の動作について説明する。
【００３６】
本実施の形態１では、データ送信装置が、圧縮されたオーディオ信号を伸長するオーディオデコーダであるとし、データ受信装置が、オーディオＤ／Ａコンバータであるとする。
【００３７】
まずデータ送信装置１００の動作について説明する。データ送信装置１００の詳細な動作については従来例と同様であるので説明を省略する。
【００３８】
データ送信装置１００は信号入力端子１０１より圧縮されたオーディオ信号を入力する。このデータ送信装置１００に入力されるオーディオ信号にはその空き領域にミュート情報、及びエンファシス情報が予め埋め込まれている。信号処理回路１０３は、入力したオーディオ信号からオーディオのデジタルサンプリングデータ、ミュート情報、及びエンファシス情報を復号化し、デジタルフィルタ１０７は、これらデジタルサンプリングデータ、ミュート情報、及びエンファシス情報をオーディオデータとしてオーディオ３線式のＬＲクロック、ビットクロックに同期させて、データ受信装置１１０に送信する。このオーディオデータには、従来例では空き領域だった領域にミュート情報及びエンファシス情報が重畳されており、ＬＲクロックに対して後詰めで送信される。ここでは、ＬＲクロックのエッジからビットクロックでカウントして２回目から、ミュート情報（ＩＬ１，ＩＲ１）、エンファシス情報（ＩＬ０，ＩＲ０）のオン・オフ情報の、合わせて２ビット分が重畳される。
【００３９】
このように、情報データを、１クロック分の情報同期信号を有するとともに、ＬＲクロックからビットクロックで所定数（２ビット目）カウントした位置から始まり、所定のクロック分（２ビット）設けるようにしたので、受信側で情報データを判別するのが容易になる。
【００４０】
次にデータ受信装置１１０の動作について説明する。
データ受信装置１１０のＤ／Ａコンバータ１０８はオーディオ３線式でオーディオデータを受信し、この受信したデジタルデータをアナログ信号に変換する。このＤ／Ａ変換の際に、データ分離回路１１１がＬＲクロックのエッジからビットクロックでカウントして２クロック目のミュート情報（ＩＬ１，ＩＲ１）、及び３クロック目のエンファシス情報（ＩＬ０，ＩＲ０）をオーディオデータの中から取得し、このミュート情報あるいはエンファシス情報に応じて、ミュート回路１１２あるいはエンファシス回路１１３がこれらをサンプル単位でＤ／Ａコンバータ１０８の出力に反映させ、信号出力端子１０９から外部に出力する。
【００４１】
このように本実施の形態１によるデータ送信装置及びデータ受信装置によれば、ビットクロックに同期したデータとして、オーディオサンプリングデータの他に、該オーディオサンプリングデータとは異なる情報を示す情報データを、送信、および受信するようにしたので、エンファシス情報やミュート情報等の、オーディオサンプリングデータを制御する信号を、別系統の信号バスを用いることなくオーディオ３線式で送受信することができる。また、重畳される情報データは、オーディオサンプリングデータと完全に同期するため、サンプル単位でミュートやエンファシスを制御することができる。
【００４２】
なお、上記実施の形態１では、重畳される情報は、ＬＲクロックのエッジからビットクロックでカウントして２クロック目及び３クロック目に存在するものとしたが、ＬＲクロックのエッジからビットクロックで所定数カウントした位置から始まり、所定のクロック分存在するものであれば、これらに限定されるものではない。
【００４３】
また、重畳される情報データをミュート情報やエンファシス情報としたが、オーディオデータの空き領域に収まるサイズのデータであれば、所望の情報データを重畳でき、これらに限定されるものではない。
【００４４】
また、例えば、図３に示すように、エンファシス情報のみを重畳するようにしてもよく、この図３の例では、エンファシス情報を任意の位置に配置するために、情報同期信号としてビットクロックで１クロック分のＬＯＷ期間を設け、その次にエンファシス情報（ＩＬ１，ＩＲ１）を１クロック分重畳している。なお、図３の例のように、エンファシス情報のみを重畳する場合は、図１ｂのミュート回路１１２およびデータ分離回路１１１のミュート情報検出機能は不要となる。
さらに、この図３の例とは逆に、ミュート情報のみを重畳してもよい。
【００４５】
また、上記実施の形態１では、ミュート情報やエンファシス情報をＤ／Ａ変換後に反映するようにしたが、図１ｂのミュート回路１１２やエンファシス回路１１３に代えて、デジタル信号用のミュート回路やエンファシス回路をＤ／Ａコンバータの前段に設けることにより、Ｄ／Ａ変換前に反映するようにしてもよい。
【００４６】
さらに、上記実施の形態１では、データ送信装置が、圧縮されたオーディオ信号を伸張するオーディオデコーダであるとし、データ受信装置が、オーディオデータをアナログ信号に変換するオーディオＤ／Ａ変換装置であるとしたが、これに限るものではない。
【００４７】
（実施の形態２）
図４は、本発明の実施の形態２に係るデータ送信装置及びデータ受信装置を示すブロック図である。
【００４８】
図４ａはそのブロック構成を示し、図において、４０１はオーディオアナログ信号を入力するための信号入力端子であり、４１２はコピープロテクション情報及び製造元情報を入力するための情報入力端子であり、４００はオーディオアナログ信号をＡ／Ｄ変換し、コピープロテクション情報及び製造元情報を重畳し、オーディオ３線式で送信するデータ送信装置であり、４１０はオーディオ３線式で受信した信号をオーディオ光出力に変換するデータ受信装置であり、４１４はオーディオ光出力の信号出力端子である。
【００４９】
図４ｂは図４ａのデータ送信装置及びデータ受信装置のブロックの内部構成を示し、図において、４１５はオーディオ３線式で受信した信号をオーディオ光出力に変換する光インターフェース回路である。なお、これ以外の構成要素は、符号が４００番台に変わるだけで図１ｂと同様であるので、説明を省略する。
【００５０】
図５は、本発明の実施の形態２に係るデータ送信装置及びデータ受信装置の送受信データの構造を示す説明図である。
以下、本実施の形態２に係るデータ送信装置及びデータ受信装置の動作について説明する。
【００５１】
本実施の形態２では、データ送信装置４００が、オーディオアナログ信号をデジタルデータに変換して情報信号を重畳し、オーディオ３線式で出力するＡ／Ｄ変換装置とする。また、データ受信装置が、情報信号を重畳されたオーディオ信号を光信号に変換するオーディオ光出力変換装置とする。
【００５２】
まずデータ送信装置４００の動作について説明する。
データ送信装置４００は、信号入力端子４０１からアナログのオーディオ信号を入力するとともに、情報入力端子４１２からコピープロテクション情報及び製造元情報を入力する。信号処理回路４０３は、入力したアナログのオーディオ信号をデジタルサンプリングデータに変換しこのデジタルサンプリングデータにコピープロテクション情報及び製造元情報からなる追加情報データを重畳する。デジタルフィルタ４０７は、これらデジタルサンプリングデータ、コピープロテクション情報及び製造元情報をオーディオデータとして、オーディオ３線式のＬＲクロック、ビットクロックに同期させて、送信する。このオーディオデータには、従来例では空き領域だった領域に、ビットクロックにおける１クロック分の情報同期信号“Ｌ”に続き、周期を示す周期信号が２クロック分、その後に８クロック分の追加情報データがそれぞれ重畳されており、ＬＲクロックに対して後詰めで送信される。
【００５３】
ここで、図５のｃｎｔ７，ｃｎｔ６は２ビットの情報で“０”を、ｃｎｔ５，ｃｎｔ４は“１”を、ｃｎｔ３，ｃｎｔ２は“２”を、ｃｎｔ１，ｃｎｔ０は“３”を、それぞれ示す周期信号であり、また、追加情報データ３，２，１，０全てを繋ぎ合わせるとコピープロテクション情報及び製造元情報を示すデータとなる。すなわち、ここでは１周期が４サンプル分であり、この周期信号に基づいて、常に周期の先頭が分かるようになっている。このため、受信側において、情報データの判別が容易になる。
【００５４】
次にデータ受信装置４１０の動作について説明する。
データ受信装置４１０の光インターフェース回路４１５はオーディオ３線式で受信したオーディオデータから、情報同期信号の後の周期信号を読み取る。この周期信号が“０”であれば、周期信号以降の８クロック分の追加情報データ３を読み取り、続いて、周期信号が“１”，“２”，“３”であることを確認しながら、追加情報データ２，１，０を読み取る。読み取った追加情報データ３，２，１，０からコピープロテクション情報及び製造元情報を得て、これらをユーザデータとしてオーディオサンプリング信号とともにオーディオ光出力に変換し、信号出力端子４１４に出力する。
【００５５】
データ受信装置の後段の信号処理装置（図示せず）では、このオーディオ光出力を受信し、電気信号に変換した後、オーディオサンプリング信号とコピープロテクション情報及び製造元情報とを分離する。
【００５６】
信号処理装置は製造元情報をディスプレイに表示する等に使用し、またコピープロテクション情報がオンとなっている場合は、オーディオサンプリング信号をデジタルデータのままで出力するのを防止する。あるいは、有料の音楽配信サービスにおいて、１曲目は試聴が可能であるが、２曲目以降は正規の会員のみ再生が可能なように設定することも可能である。
【００５７】
このように本実施の形態２によるデータ送信装置及びデータ受信装置によれば、ビットクロックに同期したデータとして、オーディオサンプリングデータと、該オーディオサンプリングデータとは異なる情報を示す情報データとして送信、および受信するようにしたので、コピープロテクション情報や製造元情報等の、オーディオサンプリングデータとは別の信号を、別系統の信号バスを用いることなく送受信することができる。また、重畳される情報は、オーディオサンプリングデータと完全に同期するため、例えば、１曲目は誰でも自由に聞けるが、２曲目は契約済みの会員だけが聞けてその他のメンバは聞けない、といったような制御を行なうことが可能となる。
【００５８】
なお、上記実施の形態２では、重畳する情報データの構成について、ビットクロックの１クロック分を情報同期信号、２クロック分を周期信号、８クロック分を追加情報データとしたが、これらに限定されるものではない。また、追加情報データは、コピープロテクション情報及び製造元情報に限定されるものではない。また、情報同期信号の後に、情報データの量を示す情報量信号を重畳することにより、情報データの長さが１オーディオサンプル毎に異なるような場合であっても、その都度その長さを容易に識別でき、受信側でのオーディオサンプリングデータ以外の情報データ量の確認が容易に行えるようにしてもよい。
【００５９】
また、上記実施の形態２では、データ送信装置が、オーディオアナログ信号をデジタルデータに変換して情報信号を重畳し、オーディオ３線式で出力するＡ／Ｄ変換装置であるとし、データ受信装置が、情報信号を重畳されたオーディオ信号を光信号に変換するオーディオ光出力変換装置であるとしたが、これに限るものではない。
【００６０】
さらに、上記実施の形態１，２では、オーディオ３線式のオーディオデータは、ＬＲクロックの切り替わり直前の所定のビット数のデータを有効とする後詰めで送受信されるものとしたが、これに限定されるものでもない。
【産業上の利用可能性】
【００６１】
以上のように、本発明に係るデータ送信装置及びデータ受信装置は、オーディオ３線式を用いた装置において、オーディオデータ以外の所望の情報を、別系統の信号バス等を用いることなく伝送可能にするのに有用である。
【図面の簡単な説明】
【００６２】
【図１ａ】本発明の実施の形態１に係るデータ送信装置及びデータ受信装置を示すブロック図である。
【図１ｂ】本発明の実施の形態１に係るデータ送信装置及びデータ受信装置のブロック内部の構成を示す図である。
【図２】本発明の実施の形態１に係るデータ送信装置及びデータ受信装置の送受信データの構造の一例を示す説明図である。
【図３】本発明の実施の形態２に係るデータ送信装置及びデータ受信装置の送受信データの構造の他の一例を示す説明図である。
【図４ａ】本発明の実施の形態２に係るデータ送信装置及びデータ受信装置のブロック内部の構成を示す図である。
【図４ｂ】本発明の実施の形態２に係るデータ送信装置及びデータ受信装置を示すブロック図である。
【図５】本発明の実施の形態２に係るデータ送信装置及びデータ受信装置の送受信データの構造を示す説明図である。
【図６】従来のデータ送信装置及びデータ受信装置のブロック内部の構成を示す図である。
【符号の説明】
【００６３】
１０１，４０１    信号入力端子
１００，４００，６００    データ送信装置
１１０，４１０，６１０    データ受信装置
１０９，４１４，６０９    信号出力端子
６０１    ＲＦ入力端子
１０２，４０２，６０２    マスタクロック発振器
１０３，４０３，６０３    信号処理回路
１０４，４０４，６０４    Ｄフリップフロップ
１０５，４０５，６０５    ＮＡＮＤ回路
１０６，４０６，６０６    分周器
１０７，４０７，６０７    デジタルフィルタ
１０８，６０８    Ｄ／Ａコンバータ
４１２    情報入力端子
４１５    光インターフェース回路
【図１ａ】
2005150860.tif 000003
【図１ｂ】
2005150860.tif 000004
【図２】
2005150860.tif 000005
【図３】
2005150860.tif 000006
【図４ａ】
2005150860.tif 000007
【図４ｂ】
2005150860.tif 000008
【図５】
2005150860.tif 000009
【図６】
2005150860.tif 000010